(57)【要約】    【課題】  口が開いた場合であっても自然な歯と歯茎を遺族に見せることができるとともに、頬肉を伸張させる強度を十分確保することができ、加えてオーダーメードなどの多品種少量生産に適する口腔内挿入具を提供する。    【解決手段】  遺体の口腔内に挿入する口腔内挿入具１を、口が開いたときに外観から視認し得る部分については自然な歯と歯茎の形態からなる擬似歯部２により、それ以外の部分については頬肉を伸張させるための頬肉伸張部３により、それぞれ提供し、擬似歯部２及び頬肉伸張部３の少なくともいずれか一方は、入熱で変形し得る可塑性材料により形成されることを特徴とする。【選択図】          図１
2006149458.tif 000002
【特許請求の範囲】
【請求項１】
歯又は歯茎の形態と視認し得る擬似歯部と、弛緩した頬肉を伸張させる頬肉伸張部と、から構成され、遺体の口腔内に挿入する口腔内挿入具であって、
前記擬似歯部及び前記頬肉伸張部の少なくともいずれか一方は、入熱で変形し得る可塑性材料により形成されることを特徴とする口腔内挿入具。
【請求項２】
前記可塑性材料は、パラフィンワックスを含むことを特徴とする請求項１記載の口腔内挿入具。
【請求項３】
前記擬似歯部には白色及び赤色の色素が混入されていることを特徴とする請求項１又は２記載の口腔内挿入具。
【請求項４】
前記擬似歯部は、歯又は歯茎の形態と視認し得るシールが貼付されていることを特徴とする請求項１から３のいずれか記載の口腔内挿入具。
【発明の詳細な説明】
【技術分野】
【０００１】
本発明は、口腔内に挿入する口腔内挿入具に関するものであって、特に、遺体顔部の容貌を整える口腔内挿入具に関する。
【背景技術】
【０００２】
従来より、義手や義足のように体の一部分を補うために作る人工部品の１つとして義歯がある。義歯は、例えば陶器製の人工歯と、この人工歯を支持するＭＭＡ（メチルメタクリレート）等の化学合成プラスチックで作られた義歯床と、からできている。また、歯が何本か残っている状態で使用する部分義歯では、義歯床を歯に引っ掛けるための金属製バネ（クラスプ）が用いられる。
【０００３】
ところで、このような義歯を遺体とともに火葬すると、化学合成プラスチックで作られた義歯庄が溶けて、骨や火葬炉への焼付きや損傷が生じたり、ダイオキシン類等の有毒ガスが発生したり、酸素不足による不完全燃焼等の問題が生じたりする。また、部分義歯を遺体とともに火葬すると、クラスプが焼け残る場合がある。一方で、上述した義歯を遺体にあてがわなければ、口が落ち窪んで頬がこけた状態になり、その結果、弔う者に生前と異なる表情を見せることになって親近感が薄らぐ虞がある。
【０００４】
また、死後硬直の問題もある。死後硬直は、死後１時間から３時間程度で顎の周辺から始まり、死後４８時間程度経過して全身の硬直が暖解する。従って、このような種々の事情から従来は、死後すぐに義歯を遺体にあてがって、頬がこけた状態になるのを防ぐとともに、火葬が行われる前に、その義歯を外すことで骨や火葬炉への焼付き等を防ぐのが一般的であった。
【０００５】
近年になって、このような煩雑な作業を必要としない義歯が登場してきている。例えば、焼却しても残留物が残らないように、燃焼されやすい蝋を用いて作られた義歯（特許文献１）がある。また、火葬の際に遺体の口から取り出すことを不要としつつ、生前の顔の容貌を保つ顔面矯正具（特許文献２）や遺体の顔部を整える調整用口腔内挿入具（特許文献３）がある。
【０００６】
【特許文献１】特開２００２−５２０５０号公報
【特許文献２】特開２００２−８５４９１号公報
【特許文献３】実用新案登録第３０５０３６８号公報
【発明の開示】
【発明が解決しようとする課題】
【０００７】
しかしながら、上述した特許文献１ないし３に記載された発明では、以下のような問題がある。
【０００８】
すなわち、特許文献１に記載の発明は、外観上の品質が従来の義歯と変わらないようにするために、無歯顎模型や金属製分割式金枠といった模型・器具を必要とするものであるから、同一物の大量生産には適しているが、オーダーメードなどの多品種少量生産には不向きである、という問題がある（特許文献１の段落番号［０００１］，［０００６］，［０００７］）。
【０００９】
また、特許文献２に記載の発明は、生前のままの顔の容貌を保つことに主眼を置き、詰め物としての役割を果たす顔面矯正具であるが、ここでいう"容貌"は、弛緩した頬肉を伸張させて人相が貧相となるのを防ぐために"形状"のみに着目している（特許文献２の段落番号［００３１］）。従って、例えば遺体を仰向けに寝かせた状態のまま放置して、体の重みにより口が開いてしまった場合には、その口から非人間的な顔面矯正具（特許文献２の図１参照）が見えてしまい、遺族に悲痛な思いを増幅させてしまう、という問題がある。
【００１０】
さらに、特許文献３に記載の発明は、あらかじめ作られた義歯形の口腔内挿入具であることから、上述のように開いた口から非人間的な器具が見える、といった問題は生じない。しかし、特許文献３に記載の発明も、口腔内挿入具を歯列の"全部に"相当する大きさ及び形状に形成すると、特許文献１に記載の発明と同様、多品種少量生産には向かないという問題を包含することになる。この点、全歯列から不要な歯列を除去し、口腔内挿入具を歯列の"一部に"相当する大きさ及び形状に形成することも考えられる（特許文献３の段落番号［０００８］）。しかし、かかる場合には、弛緩して縮まろうとする頬肉を伸張させる強度が低下することになり、皺の多い老人性の顔貌となり、ひいては人相が貧相となる虞がある。
【００１１】
このように、上述した特許文献１ないし３に記載された発明では、多品種少量生産に適すること、口が開いた場合であっても自然な歯と歯茎を遺族に見せること、頬肉を伸張させる強度を低下させないこと、という３つの課題を同時に解決することができなかった。
【００１２】
本発明はこのような点に鑑みてなされたものであり、その目的は、口が開いた場合であっても自然な歯と歯茎を遺族に見せることができるとともに、頬肉を伸張させる強度を十分確保することができ、加えてオーダーメードなどの多品種少量生産に適する口腔内挿入具を提供することにある。
【課題を解決するための手段】
【００１３】
以上のような課題を解決するため、本発明は、遺体の口腔内に挿入する口腔内挿入具を、口が開いたときに外観から視認し得る部分については自然な歯と歯茎の形態からなる擬似歯部により、それ以外の部分については頬肉を伸張させるための詰め物としての頬肉伸張部により、それぞれ提供し、擬似歯部及び頬肉伸張部の少なくともいずれか一方は、入熱で変形し得る可塑性材料により形成されることを特徴とする。
【００１４】
より具体的には、本発明は、以下のものを提供する。
【００１５】
（１）  歯又は歯茎の形態と視認し得る擬似歯部と、弛緩した頬肉を伸張させる頬肉伸張部と、から構成され、遺体の口腔内に挿入する口腔内挿入具であって、前記擬似歯部及び前記頬肉伸張部の少なくともいずれか一方は、入熱で変形し得る可塑性材料により形成されることを特徴とする口腔内挿入具。
【００１６】
本発明によれば、遺体の口腔内に挿入する口腔内挿入具であって、口腔外から視認し得る部分は、歯又は歯茎の形態からなる擬似歯部であることとしたから、遺体の口が開いた場合であっても、遺族に歯や歯茎の形態として見せることができる。
【００１７】
従って、例えば遺体を仰向けに寝かせた状態のまま放置して、体の重みにより口が開いてしまった場合に、その口から非人間的な脱脂綿や顔面矯正具が見えてしまい、遺族に悲痛な思いを増幅させてしまうのを防止することができる。
【００１８】
また、本発明は、遺体の口腔内に挿入する口腔内挿入具であって、遺体の口が多少開いたぐらいでは視認しえない部分は、死後硬直により弛緩して縮まろうとする頬肉を伸張させる頬肉伸張部であることとしたから、頬肉を伸張させる強度を保つことができる。
【００１９】
従って、例えば遺体の頬がこけて、皺の多い老人性の顔貌となり、ひいては人相が貧相となり、その生前と異なる表情を遺族に見せてしまうことを防止することができる。
【００２０】
さらに、本発明は、上述した擬似歯部及び上述した頬肉伸張部の少なくともいずれか一方は、入熱で変形し得る可塑性材料により形成されることとしたので、遺体の口腔内に口腔内挿入具を挿入するときに遺体に合わせて熱変形させることができる。
【００２１】
すなわち、一般的に、遺体の口腔の形態は、頬肉の収縮等により、その遺体の生前の口腔の形態と異なっている場合が多いので、例えば生前の義歯（入れ歯）をコピーすることによって口腔内挿入具を製造したときに、これを上手く口腔内に挿入できない可能性があるが、本発明によれば、遺体の口腔の形態に合わせて口腔内挿入具をカットしたり削ったりすることができるので、口腔内挿入具を上手く挿入することができ、その結果、挿入したときの姿が生前の姿になるべく近づくようにすることができる。
【００２２】
ここで、本発明は、口腔内挿入具のうちの全ての部分ではなく、擬似歯部の形態のみを、口腔外から歯及び歯茎の形態と視認し得る形態にすれば足りる。従って、例えば擬似歯部のみを、上顎及び下顎の中切歯，側切歯，犬歯及び第一小臼歯の形態にすれば足り、従来の口腔内挿入具に比べて低予算で多品種の口腔内挿入具を製造することができる。
【００２３】
（２）  前記可塑性材料は、パラフィンワックスを含むことを特徴とする（１）記載の口腔内挿入具。
【００２４】
本発明によれば、上述した可塑性材料がパラフィンワックスを含むことによって、口腔内挿入具の可塑性を実現することとしたから、口腔内挿入具を提供するときに、切削したり、分割したり、軟化させたり、あるいは融解させたりすることができる。
【００２５】
従って、口腔内挿入具を遺体の口腔に挿入するときに、遺体の口腔内の形態及び生前の姿に合わせて変形させることができる。
【００２６】
（３）  前記擬似歯部には白色及び赤色の色素が混入されていることを特徴とする（１）又は（２）記載の口腔内挿入具。
【００２７】
本発明によれば、擬似歯部には白色及び赤色の色素が混入されていることとしたから、歯の色（白色）を呈する部分と、歯茎の色（赤色）を呈する部分とから構成される擬似歯部を備えた口腔内挿入具を製造することができる。
【００２８】
従って、例えば遺体を仰向けに寝かせた状態のまま放置して、体の重みにより口が開いてしまった場合であっても、自然な歯と歯茎を遺族に見せることができる。
【００２９】
（４）  前記擬似歯部は、歯又は歯茎の形態と視認し得るシールが貼付されていることを特徴とする（１）から（３）のいずれか記載の口腔内挿入具。
【００３０】
本発明によれば、擬似歯部は、歯又は歯茎の形態と視認し得るシールが貼付されていることとしたから、従来と比べて簡便かつ低予算で、大きさ，色，形の異なる擬似歯部を有する口腔内挿入具を製造することができる。
【００３１】
なお、ここでいう「シール」は、例えば遺体の生前の写真等を参照しつつ、大きさ，色，形，角度等、所望の条件を合わせて選択することができる。
【発明の効果】
【００３２】
以上説明したように、本発明によれば、口腔内挿入具を、歯又は歯茎の形態と視認し得る擬似歯部と、弛緩した頬肉を伸張させる頬肉伸張部と、から構成し、これらのうちの少なくともいずれか一方は、入熱で変形し得る可塑性材料により形成されることとしたので、遺体の口腔の外観を生前の状態に近づけ、口が開いた場合であっても自然な歯と歯茎を遺族に見せることができる。また、頬肉を伸張させる強度を十分確保することができるとともに、加えてオーダーメードなどの多品種少量生産に適する口腔内挿入具を提供することができる。
【発明を実施するための最良の形態】
【００３３】
以下、本発明を実施するための最良の形態について、図面を参照しつつ説明する。
【００３４】
［本発明の第１の実施の形態に係る口腔内挿入具］
図１は、本発明の第１の実施の形態に係る口腔内挿入具１を説明するための説明図である。
【００３５】
図１において、本発明の第１の実施の形態に係る口腔内挿入具１は、歯又は歯茎の形態と視認し得る擬似歯部２と、弛緩した頬肉を伸張させる頬肉伸張部３と、から構成されるものである。
【００３６】
擬似歯部２は、馬蹄形状の形態を有しており、例えばパラフィンワックスを素材として製造される。パラフィンワックスの融点は約４０〜７０℃程度である。パラフィンワックスを素材とすることで、遺体よりも燃焼温度の低い口腔内挿入具１を提供することができる。
【００３７】
また、融解したパラフィンワックスへ色素を混入することによって、擬似歯部２を着色する。色素は、例えば食用色素を使い、歯茎部分は、歯茎の色に食用赤色１０４号等で着色する。凝固状態のパラフィンワックスは着色しなければ白いため、歯部分は着色しなくてもよい。パラフィンワックスが凝固したときの質感は、遺体に挿入しても違和感の少ない質感であるので、パラフィンワックスに着色を施すことで外観上違和感の少ない口腔内挿入具１を製造することができる。また、生前の写真等を参照して着色を施すことで、遺体となった者に合わせた色にすることができる。
【００３８】
なお、擬似歯部２は、挿入したときに外観から視認し得る部分、例えば、上顎及び下顎の中切歯、側切歯、犬歯及び第一小臼歯並びに歯茎を現すものであるが、外から見える程度の形態を現すものでよいので、歯の裏側の形態を再現する必要はない。また、上顎部、下顎部を分ける必要もなく、一体形であってもよい。
【００３９】
次に、頬肉伸張部３は、１対の細長形状の形態をしており、例えばパラフィンワックスを素材として製造される。頬肉伸張部３は、接着剤等により擬似歯部２と接着されており、頬肉を伸張させる機能を有する。
【００４０】
ここで、本実施形態においては、擬似歯部２と頬肉伸張部３を別々に製造し、その後、両者を接着させることで口腔内挿入具１を製造することとしたが、本発明はこれに限られず、例えば、擬似歯部２の一部を平滑に成形することによって頬肉伸張部３を形作るなど、その製造方法の如何は問わない。また、擬似歯部２の材質は、パラフィンワックス、カルナウバロウ、蜜蝋、ダンマル、染料又は顔料が挙げられ、頬肉伸張部３の材質は、パラフィンワックス、蜜蝋、染料又は顔料が挙げられる。
【００４１】
図２は、図１に示す口腔内挿入具１を遺体に取り付けた様子を示す図である。
【００４２】
図２において、一般的に、遺体の頬肉は弛緩して縮まることから、遺体の顔貌は、図２（ａ）に示すように貧相となる。この状態で、図１に示す口腔内挿入具１を遺体の口腔内に挿入すると、遺体の顔貌は、図２（ｂ）に示すように、自然なものとなる。
【００４３】
より具体的に説明すると、擬似歯部２と頬肉伸張部３とから構成される口腔内挿入具１を遺体の口腔内に挿入する。このとき、頬肉伸張部３を遺体に合わせて削り、湯煎で軟化させ、表面を炙り融解し、遺体の顎堤に密着させる形で口腔内にあてがう。頬の伸張状態は、生前の写真を参照しつつ、頬肉伸張部３の大きさで生前の表情に合わせていく。また、擬似歯部２は、歯の形や、大きさの異なる複数種類を用意しておくことで、その中から遺体の生前の姿に近いものを選ぶことができる。
【００４４】
なお、死後硬直は、死後１時間〜３時間程度で顎の周辺から始まるので、遺体に対して死後速やかに挿入することが望ましい。また、死後硬直により口が開かなくなっているような遺体に対しては、切断して挿入してもよい。切断面を炙り融解して挿入すれば、再び結合させることもできる。
【００４５】
このように、本発明の第１の実施の形態に係る口腔内挿入具１の頬肉伸張部３を口腔内に詰めることで、頬がこけた状態となるのを防ぐことができ、かつ、外観から見え得る、中切歯，側切歯，及び犬歯等の形状を擬似歯部２により見せることができる。また、擬似歯部２は、従来の総義歯形態の口腔内挿入具に比べて、低予算で複数の形態を提供することができるから、複数製造された擬似歯部２から遺体に対して自然な形態の擬似歯部２を選択することができる。そして、遺体の顔の容貌を生前の状態に近づけることができ、遺族に対して生前に近い違和感の少ない遺体を見せることができる。さらに、パラフィンワックスにより作成した口腔内挿入具１は、遺体とともに火葬炉において火葬を行っても、遺体より低い温度で燃焼するため、骨や火葬炉への焼付き、損傷、またダイオキシンの生成等を抑えることができる。
【００４６】
次に、本発明の実施の形態に係る変形例について説明する。
【００４７】
［本発明の第２の実施の形態に係る口腔内挿入具］
図３は、本発明の第２の実施の形態に係る口腔内挿入具１'（上半分のみ）を説明するための説明図である。図３（ａ）は、擬似歯部２の側面図であって、図３（ｂ）は、頬肉伸張部３の斜視図であって、図３（ｃ）は、擬似歯部２の上顎部２１と頬肉伸張部３の口腔内での位置関係を示す斜視図である。
【００４８】
図３において、本発明の第２の実施の形態に係る口腔内挿入具１'（図３（ｃ））は、歯及び歯茎と視認し得る部分の部材から構成される擬似歯部２（図３（ａ））と、頬肉を内側から伸張させる部材から構成される頬肉伸張部３（図３（ｂ））と、から構成される。また、擬似歯部２は、上顎部２１と、下顎部２２と、から構成される（図３（ａ））。
【００４９】
図３（ｂ）において、頬肉伸張部３は、上顎及び下顎の第二小臼歯、第一大臼歯、第二大臼歯及び第三大臼歯の位置の顎堤を固定する顎堤固定部３１と、頬を直接伸張させる詰物部３２と、から構成され、例えばパラフィンワックスを素材として製造される。これにより、顎堤固定部３１に上顎及び下顎の顎堤を接着することで、遺体の口が体の重さ等により開いてしまうことを防ぐことができるし、また、筋肉の働きがなくなった遺体の頬を適度に伸張させて、頬がこけた状態になるのを避けることができる。なお、擬似歯部２は、歯の大きさの異なる複数種類のものを製造しておくことで、近い形態のものを変形しつつ、遺体に合わせて使用することができる。
【００５０】
図３（ｃ）において、擬似歯部２（上顎部２１）の歯茎部分を炙り、顎堤と頬肉伸張部３に密着させる。そうすると、擬似歯部２（上顎部２１）と頬肉伸張部３が接着し、口腔内挿入具１'（上半分のみ）が完成する。図３（ｃ）に示す口腔内挿入具１'を遺体の口腔内に挿入すると、図２を用いて説明したとおり、遺体の顔貌は自然なものとなる。
【００５１】
［本発明の第３の実施の形態に係る口腔内挿入具］
図４は、本発明の第３の実施の形態に係る口腔内挿入具１''を説明するための説明図である。図４（ａ）は、歯形貼付物（シール）１０の平面図であって、図４（ｂ）は、擬似歯部２（上半分）及び頬肉伸張部３の斜視図であって、図４（ｃ）は、擬似歯部２（上半分）にシール１０を貼付したときの斜視図である。
【００５２】
本発明の第３の実施の形態に係る口腔内挿入具１''は、シール１０が貼付された擬似歯部２と、上顎及び下顎の固定並びに頬の伸張のための頬肉伸張部３と、から構成される（図３（ｃ））。
【００５３】
図４（ａ）において、歯形貼付物であるシール１０は、擬似歯部２に貼付したときに歯と視認することができるものを用いる。例えば、永久歯のうち、中切歯、側切歯、犬歯又は第一小臼歯として視認することができるものを用いる。
【００５４】
図４（ｂ）において、頬肉伸張部３は、上顎及び下顎の顎堤を密着することに固定する固定部３１と、頬の伸張を行う伸張部３２と、を有する。頬肉伸張部３は、歯茎として外部から視認されることがあるため、例えば着色を施したパラフィンワックスにより作成する。
【００５５】
また、擬似歯部２は、大きさ，色，形の異なる歯形の部材を、従来の総義歯形口腔内挿入具に比べて、低予算で複数を作ることができる。また、頬肉伸張部３は、提供するときに遺体に合わせて削る等、加工を施すことができるため、単品種で対応することができる。
【００５６】
次に、本発明の第３の実施の形態に係る口腔内挿入具１''の使用方法について説明すると、まず、頬肉伸張部３を遺体の口腔内に挿入する。頬肉伸張部３と上顎及び下顎の顎堤を接着することで、上顎及び下顎を固定することができる。接着は、接着剤を用いてもよいし、パラフィンワックスからなる固定部３１を融解してもよい。ここで、頬肉伸張部３の伸張部３２により、頬が伸張される。
【００５７】
頬肉伸張部３は、パラフィンワックスを素材として製造されているので、遺体の口腔内の形態に合わせて削ったり融解したりすることで、口腔内に密着するものを提供することができる。
【００５８】
次に、シール１０からなる擬似歯部２を、頬肉伸張部３又は遺体の口腔内に挿入する。シール１０は、遺体の生前の写真等を参照しつつ、一つ一つの歯の大きさ，色，形，角度等を合わせて貼付することができる。
【００５９】
従って、従来の単品種による義歯型口腔内挿入具に比べて、遺体となった者の特徴に合わせた口腔内挿入具を提供することができる。また、遺体を生前の容姿に近づけるという目的を低予算で提供することができ、口腔内挿入具の装着も容易である。
【図面の簡単な説明】
【００６０】
【図１】本発明の第１の実施の形態に係る口腔内挿入具を説明するための説明図である。
【図２】図１に示す口腔内挿入具を遺体に取り付けた様子を示す図である。
【図３】本発明の第２の実施の形態に係る口腔内挿入具を説明するための説明図である。
【図４】本発明の第３の実施の形態に係る口腔内挿入具を説明するための説明図である。
【符号の説明】
【００６１】
１，１'，１''  口腔内挿入具
２  擬似歯部
２１  上顎部
２２  下顎部
３  頬肉伸張部
３１  顎堤固定部
３２  詰物部，伸張部
【図１】
2006149458.tif 000003
【図２】
2006149458.tif 000004
【図３】
2006149458.tif 000005
【図４】
2006149458.tif 000006